(57)【特許請求の範囲】
【請求項１】
原稿載置台に載置された原稿を光学的に読み取って電気信号に変換する画像読取部の主走査方向の原稿読取り基準であり、前記原稿載置台上の奥側と手前側にそれぞれ設けられた一対の基準板と、
前記一対の基準板を一体にし、一方の基準板を原稿載置台上に配置すると、他方の基準板を原稿載置台から退避させる進退手段と、
を有することを特徴とする画像読取装置。
【請求項２】
前記進退手段が、前記一方の基準板と前記他方の基準板を連結する動力伝達板と、一方の基準板を引き寄せる引っ張りバネと、前記引っ張りバネの付勢力に抗する方向へ押し出し可能なソレノイドと、で構成されたことを特徴とする請求項１に記載の画像読取装置。
【請求項３】
前記画像読取部を操作する操作部に前記ソレノイドのＯＮ・ＯＦＦを切り替える操作スイッチが設けられたことを特徴とする請求項２に記載の画像読取装置。
【請求項４】
前記原稿載置台上に載置された原稿を押圧する原稿押圧板が、前記画像読取部の主走査方向と直交する方向に開閉可能に設けられたことを特徴とする請求項１〜３の何れか１項に記載の画像読取装置。
【請求項５】
前記原稿載置台上に載置された原稿を押圧する原稿押圧板に自動原稿送り装置が設けられ、前記自動原稿送り装置の原稿読取り基準が前記操作部側に配置されたことを特徴とする請求項３又は４に記載の画像読取装置。
【発明の詳細な説明】
【０００１】
【発明の属する技術分野】
本発明は、例えば画像形成装置などに用いられる画像読取装置に関する。
【０００２】
【従来の技術】
複写機、プリンタ、ファクシミリ装置等の画像形成装置の画像読取装置や、単独の装置としての画像読取装置では、原稿載置台に載置された原稿に光を照射して得られた画像を電気信号に変換し、且つデジタル化した後、種々の画像処理を施して記録用の画像データとし、この画像データに応じて変調した光ビームによって記録紙が複写される。
【０００３】
ここで、図１１に示すように、画像読取装置１００では原稿Ｐを読み取る際の原稿読取り基準であるレジ位置を原稿載置台１０２の左奥角部としており、画像読取装置１００を正面から見て、原稿載置台１０２の左側及び奥側にそれぞれレジ基準板１０４、１０６を配置し、原稿Ｐを原稿載置台１０２に載置する場合、原稿Ｐのエッジ部をレジ基準板１０４、１０６に当接させた状態で原稿Ｐの角部をレジ位置Ｑに合わせて原稿Ｐを位置決めする。
【０００４】
しかし、図１２に示すように、画像読取装置１００は画像形成装置１０１の上方に配置されているため、レジ位置Ｑが原稿載置台１０２の奥側では、車椅子を使用する等障害をもつ操作者が、原稿載置台１０２に原稿Ｐを載置する場合、レジ基準板１０６に原稿Ｐのエッジ部を当接させることができないこともあり、これらの操作者にとって操作性が良くない。
【０００５】
従って、レジ位置Ｑを原稿載置台１０２の手前側にすることが考えられる。一方、原稿押圧板１０８は、原稿載置台１０２の奥側に設けられたヒンジ部１１０によって、画像読取装置１００の走査方向（図９の矢印方向）に沿って弧を描きながら開閉可能となっている。
【０００６】
このため、図１３に示すように、レジ位置Ｑを原稿載置台１０２の手前にすると、新聞等のサイズの大きな原稿を読み取る際、原稿押圧板１０８のヒンジ部１１０が邪魔になり、原稿を折り畳んで複写しなければならず面倒である。
【０００７】
【発明が解決しようとする課題】
本発明は上記事実を考慮し、操作者毎に原稿載置台の原稿読取り基準を選択可能な画像読取装置を得ることを目的としている。
【０００８】
【課題を解決するための手段】
請求項１に記載の発明は、画像読取装置において、原稿載置台に載置された原稿を光学的に読み取って電気信号に変換する画像読取部の主走査方向の原稿読取り基準であり、前記原稿載置台上の奥側と手前側にそれぞれ設けられた一対の基準板と、前記一対の基準板を一体にして、一方の基準板を原稿載置台上に配置すると、他方の基準板を原稿載置台から退避させる進退手段と、を有することを特徴とする。
請求項１に記載の発明では、原稿載置台に載置された原稿は、画像読取部によって光学的に読み取られると共に電気信号に変換される。この画像読取部の主走査方向の原稿読取り基準を原稿載置台上に複数設け、原稿載置台上の原稿読取り基準を選択可能としている。具体的には、原稿読取り基準として、原稿載置台上の奥側と手前側に一対の基準板をそれぞれ設け、該一対の基準板を一体にして、進退手段によって移動させる。つまり、一方の基準板を原稿載置台上に配置させると、一方の基準板に連動して他方の基準板は原稿載置台から退避することとなる。
【０００９】
画像形成装置では画像読取装置が上方に配置されているため、車椅子を使用する等障害をもつ操作者の場合、基準板が原稿載置台の奥側では手が届き難く、原稿を基準板に位置合わせすることができないという問題が生じるが、進退手段によって基準板を原稿載置台の手前側にすることで、基準板に手が届き易く、操作し易くなる。
【００１０】
また、基準板が原稿載置台の手前側の場合、原稿押圧板を多少開放するだけで原稿を該基準板に位置合わせすることができるため、原稿を原稿載置台に載置するときに原稿押圧板を全開しなくても良く、障害をもつ操作者の負担が少なくて済む。
【００１１】
一方、新聞等のサイズの大きな原稿を読取る場合、進退手段によって基準板を原稿載置台の奥側に切り替えると、原稿押圧板を開閉させるヒンジ部が邪魔にならず、原稿を折り畳んで複写する必要もなく使い勝手が良い。このように、操作者毎に原稿載置台の原稿読取り基準を選択して切り替えることができるため、便利である。
ここで、必要な基準板を原稿載置台上に配置させると共に、不要な基準板を原稿載置台から退避させることで、間違った位置に原稿を載置する恐れがなくなる。また、不要な基準板を退避させることで、原稿載置台上に原稿を載置するとき、不要な基準板に原稿が乗り上げて折れ曲がることがない。さらに、基準板の進退状態を見ただけで、原稿読取り基準が分かるため、原稿を複写する時、原稿読取り基準を変える必要があるか否か判断することができる。また、原稿読取り基準が原稿載置台に設けられた基準板であるため、原稿を原稿載置台上に載置するとき、基準板に原稿のエッジ部を当接させれば良いので、原稿を位置合わせし易い。
【００１２】
請求項２に記載の発明は、請求項１に記載の画像読取装置において、前記進退手段が、前記一方の基準板と前記他方の基準板を連結する動力伝達板と、一方の基準板を引き寄せる引っ張りバネと、前記引っ張りバネの付勢力に抗する方向へ押し出し可能なソレノイドと、で構成されたことを特徴とする。
請求項２に記載の発明では、動力伝達板によって、一方の基準板と他方の基準板を連結させ、一方の基準板を引っ張りバネによって引き寄せ、ソレノイドによって該引っ張りバネの付勢力に抗する方向へ一方の基準板を押し出し可能としている。この一方の基準板に連動して他方の基準板を原稿載置台に対して進退させる。
【００１３】
請求項３に記載の発明は、請求項２に記載の画像読取装置において、前記画像読取部を操作する操作部に前記ソレノイドのＯＮ・ＯＦＦを切り替える操作スイッチが設けられたことを特徴とする。
請求項３に記載の発明では、ソレノイドのＯＮ・ＯＦＦを切り替える操作スイッチを画像読取部を操作する操作部に設けることで、車椅子を使用する操作者でも容易に手が届くので、操作し易い。また、操作スイッチを押圧するだけで、原稿読取り基準が切り替わるため、操作性が良い。
【００１４】
請求項４に記載の発明は、請求項１〜３の何れか１項に記載の画像読取装置において、前記原稿載置台上に載置された原稿を押圧する原稿押圧板が、前記画像読取部の主走査方向と直交する方向に開閉可能に設けられたことを特徴とする。
請求項４に記載の発明では、原稿載置台上に載置された原稿を押圧する原稿押圧板を、画像読取部の主走査方向と直交する方向に開閉可能に設けている。原稿押圧板を画像読取部の主走査方向と直交する方向に開閉させるには、原稿押圧板を開閉させるためのヒンジ部を画像読取部の主走査方向と平行に設ける必要がある。つまり、画像読取装置を正面から見た場合、ヒンジ部は画像読取装置の左右に設けられる。
一方、従来のように、ヒンジ部が画像読取装置の奥方に配置している場合、新聞等のサイズの大きな原稿を複写する際、ヒンジ部が邪魔になるため、原稿を折り畳まなければならない。しかし、画像読取部の主走査方向と平行にヒンジ部を設け、原稿押圧板を画像読取部の主走査方向と直交する方向に開閉させることで、このような原稿を複写する場合でも、従来のように原稿を折り畳む必要がなくなる。
【００１５】
請求項５に記載の発明は、請求項３又は４に記載の画像読取装置において、前記原稿載置台上に載置された原稿を押圧する原稿押圧板に自動原稿送り装置が設けられ、前記自動原稿送り装置の原稿読取り基準が前記操作部側に配置されたことを特徴とする。
請求項５に記載の発明では、自動原稿送り装置の原稿読取り基準が操作者側に配置されているため、車椅子を使用する等障害をもつ操作者でも、自動原稿送り装置に原稿をセットし易く、操作性が良い。
【００１６】
請求項６に記載の発明では、基準板を原稿載置台から進退させる進退手段を設けている。例えば、進退手段を操作スイッチと連動させ、操作スイッチによって原稿読取り基準を切り替えると、自動的に必要な基準板を原稿載置台上に配置させると共に、不要な基準板を原稿載置台から退避させることで、間違った位置に原稿を載置する恐れがなくなる。
【００１７】
また、基準板の進退状態を見ただけで、原稿読取り基準が分かるため、原稿を複写する時、原稿読取り基準を変える必要があるか否か判断でき、原稿読取り基準を変える必要がない場合は操作スイッチを押圧しなくて良い。
【００１８】
請求項７に記載の発明では、原稿載置台上に載置され、原稿を押圧する原稿押圧板を画像読取部の主走査方向と直交する方向に開閉可能に設けている。このように、原稿押圧板を画像読取部の主走査方向と直交する方向に開閉させるには、原稿押圧板を開閉させるためのヒンジ部を画像読取部の主走査方向と平行に設ける。すなわち、画像読取装置を正面から見た場合、ヒンジ部は画像読取装置の左右に設けられる。
【００１９】
ここで、従来のように、ヒンジ部が画像読取装置の奥方に配置している場合、新聞等のサイズの大きな原稿を複写する際、ヒンジ部が邪魔になるため、原稿を折り畳まなければならなかったが、画像読取部の主走査方向と平行にヒンジ部を設け、原稿押圧板を画像読取部の主走査方向と直交する方向に開閉させることで、このような原稿を複写する場合でも、従来のように原稿を折り畳む必要がなくなる。
【００２０】
請求項８に記載の発明では、原稿押圧板に自動原稿送り装置を設けており、自動原稿送り装置の原稿読取り基準を操作部側に配置している。これにより、例えば、車椅子を使用する等障害をもつ操作者の場合、自動原稿送り装置の原稿読取り基準が操作者側に配置されているため、自動原稿送り装置に原稿をセットし易く、操作性が良い。
【００２１】
【発明の実施の形態】
本発明の実施の形態に係る画像読取装置について説明する。
【００２２】
まず、画像読取装置の概要について説明する。図１に示すように、画像読取装置１０の筐体１２の上面には、プラテンガラス１４が設けられており、複写する原稿が載置可能となっている。
【００２３】
筐体１２の内部には、露光ランプ１６、反射ミラー１８、２０、２２、結像レンズ２４及びＣＣＤ２６がそれぞれ配設されており、露光ランプ１６によって、プラテンガラス１４上に載置された原稿は照射され、反射ミラー１８、２０、２２によって、原稿からの反射光が所定の方向に反射する。
【００２４】
ここで、露光ランプ１６と反射ミラー１８、２０、２２は、図示しないキャリッジに搭載されており、キャリッジと共に矢印方向（副走査方向）に移動して原稿を光学走査する。
【００２５】
反射ミラー１８、２０、２２によって反射された反射光は、筐体１２内部に固定された結像レンズ２４を介してＣＣＤ２６へ入力され、このＣＣＤ２６によって光電変換されてアナログ画像信号に変換される。
【００２６】
ところで、画像読取装置１０は、図２に示すように、画像形成装置２８の上方に配設されており、アナログ画像信号に変換された画像データは、画像形成装置２８に備えられた図示しない画像形成部によって種々の画像処理を施して記録用の画像データとされ、この画像データに応じて変調した光ビームによって、記録紙給紙トレイ３０から給紙された記録紙に画像が形成される。このようにして、画像が形成された記録紙は、排出トレイ３１から排出される。
【００２７】
一方、図２〜図４に示すように、画像読取装置１０の正面から見て画像読取装置１０の筐体１２上面の奥側左右には、軸支部３２が設けられており、この軸支部３２によって、平板状の原稿押圧板３４に設けられた図示しないシャフトが所定角度内を回動可能に軸支されている。これにより、原稿押圧板３４を閉止させたとき、原稿押圧板３４がプラテンガラス１４に対面して遮蔽可能となっている。
【００２８】
原稿押圧板３４には、原稿押圧板３４を閉止させたとき、プラテンガラス１４と対面する側に板状の原稿押圧部材３６が固定されており、プラテンガラス１４上に載置された原稿を押圧可能となっている。原稿押圧部材３６は軟質材を用いており、原稿押圧板３４を閉止するとき、プラテンガラス１４に衝撃を与えないようにしている。
【００２９】
ところで、図１及び図２に示すように、原稿押圧板３４には、自動原稿送り装置３８が一体に取り付けられている。この自動原稿送り装置３８は、原稿をセットするための原稿トレイ４０と、この原稿トレイ４０から一枚ずつ分離された原稿を所定の搬送経路に沿って給送する搬送ローラ４２と、を有しており、原稿トレイ４０から繰り出された原稿を搬送ローラ４２の回転によってプラテンガラス１４上に給送し、排出トレイ４４から原稿を排出させる。
【００３０】
次に、第１形態に係る画像読取装置の要部について説明する。
【００３１】
図３及び図４に示すように、画像読取装置１０の正面には、操作パネル４６が設けられており、この操作パネル４６を操作して画像読取装置１０を稼動させる。操作パネル４６には原稿読取り基準を切り替える操作スイッチ４８が設けられており、この操作スイッチ４８を押圧すると、原稿読取り基準であるレジ位置が切り替わる。
【００３２】
ここで、プラテンガラス１４の上面の左手前をレジ位置Ｒとし、左奥をレジ位置Ｑとする。このレジ位置Ｑ、Ｒは操作スイッチ４８によって切り替え可能となっており、ＣＣＤ２６（図１参照）によって読取られた画像情報がデジタル化された後、図示しないＣＰＵによってレジ位置Ｑ又はレジ位置Ｒに合わせて記録紙の書き込みが行われるようになっている。
【００３３】
一方、プラテンガラス１４の上面の左側、手前側及び奥側には、それぞれレジ位置基準板５０、５２、５４が配置されており、レジ位置Ｒの場合、レジ位置基準板５０、５２を基準とし、原稿を載置するとき、原稿のエッジ部をレジ位置基準板５０、５２に当接させた状態で原稿の角部をレジ位置Ｒに合わせる。
【００３４】
また、レジ位置Ｑの場合、レジ位置基準板５０、５４を基準とし、原稿を載置するとき、原稿のエッジ部をレジ位置基準板５０、５４に当接させた状態で原稿の角部をレジ位置Ｑに合わせる。
【００３５】
このように、操作スイッチ４８によって、原稿読取り基準をレジ位置Ｒ或いはレジ位置Ｑで切り替え可能とすることで、操作者毎にプラテンガラス１４上の原稿読取り基準を選択して切り替えることができる。
【００３６】
このため、例えば、車椅子を使用する等障害をもつ操作者の場合、原稿読取り基準がレジ位置Ｑでは手が届き難く、原稿をレジ位置Ｑに位置合わせできない場合も生じるが、原稿読取り基準をレジ位置Ｒとすることで、操作者の手が届き易く、操作し易くなる。また、操作スイッチ４８を操作パネル４６に設けることで、車椅子を使用する操作者でも容易に手が届くので、操作し易い。
【００３７】
さらに、レジ位置Ｒの場合、原稿押圧板３４を多少開放するだけで原稿をレジ位置Ｒに合わせることができるため、原稿をプラテンガラス１４に載置するときに原稿押圧板３４を全開しなくても良く、障害をもつ操作者の負担が少なくて済む。
【００３８】
一方、図３に示すように、新聞等のサイズの大きな原稿を読取る場合、レジ位置Ｑに切り替え、原稿の角部をレジ位置Ｑに位置合わせした状態で、前方に垂らせば良いため、原稿押圧板３４の軸支部３２が邪魔にならず、原稿を折り畳んで複写する必要もなく使い勝手が良い。
【００３９】
ところで、図４及び図５に示すように、レジ位置基準板５２、５４は、着脱可能としている。これにより、例えば、図４に示すように、レジ位置Ｒの場合、レジ位置基準板５４を取り外し、原稿の載置場所を間違わないようにしている。
【００４０】
また、このように、不要なレジ位置基準板５４を取り外すことで、プラテンガラス１４上に原稿を載置するとき、レジ位置基準板５４に原稿が乗り上げて原稿が折れ曲がることはない。
【００４１】
さらに、図４及び図５に示すように、画像読取装置１０の筐体１２の上面には、レジ位置Ｑ、Ｒの近傍にそれぞれ穴部５６が形成されており、この穴部５６からは発光ダイオード５８（表示手段）が露出している。
【００４２】
この発光ダイオード５８は操作スイッチ４８に接続させ、操作スイッチ４８によって切り替えられた原稿読取り基準（レジ位置Ｑ又はレジ位置Ｒ）側の発光ダイオード５８を発光させるようにしている。
【００４３】
これにより、原稿読取り基準がすぐ検知でき、プラテンガラス１４上に原稿を載置するとき、操作者が迷うことがなく、また、間違った位置に原稿が載置されることはない。
【００４４】
また、原稿を複写する時、原稿読取り基準を変える必要があるか否か判断でき、原稿読取り基準を変える必要がない場合は、操作スイッチ４８を押圧しなくて済む。
【００４５】
なお、ここでは、レジ位置基準板５２、５４を着脱可能としたが、原稿読取り基準が分かれば良いため、これに限るものではない。例えば、プラテンガラス１４上に原稿読取り基準を示す基準線を附し、この基準線に合わせて原稿を載置するようにしても良い。
【００４６】
また、レジ位置基準板をプラテンガラス１４から進退させるようにしても良い。この場合、一手段として以下の方法が挙げられる。
【００４７】
図６及び図７（Ａ）、（Ｂ）に示すように、画像読取装置２００の筐体２０２の上面に形成された開口部２０２Ａの手前側及び奥側の縁部に、レジ位置基準板２０４、２０６が収納可能な収納部２０８、２１０をそれぞれ形成する。
【００４８】
レジ位置基準板２０４、２０６はプラテンガラス２０５上をスライド可能としており、レジ位置基準板２０４及びレジ位置基準板２０６の両端部に動力伝達板２１２、２１３を連結し、レジ位置基準板２０４とレジ位置基準板２０６とを一体に移動させるようにしている。
【００４９】
ここで、動力伝達板２１２はプラテンガラス２０５上をスライド可能としており、レジ位置基準板の役割を兼ねている。一方、動力伝達板２１３は開口部２０２Ａの側縁部に設けられた収納部２１７に収納され、収納部２１７内をスライドする。
【００５０】
また、画像読取装置２００の筐体２０２の開口部２０２Ａの角部付近にガイドピン２１４を立設しており、レジ位置基準板２０４、２０６の両端側に、レジ位置基準板２０４、２０６の移動方向に沿ってガイド穴２１５を形成している。
【００５１】
このガイド穴２１５はガイドピン２１４が係合となっており、ガイド穴２１５をガイドピン２１４に係合させて、各レジ位置基準板２０４、２０６を位置決めする。これにより、ガイドピン２１４を基準にガイド穴２１５を介してレジ位置基準板２０４、２０６が移動すると共に、ガイドピン２１４によって移動規制される。
【００５２】
また、レジ位置基準板２０４の両端側に引っ張りバネ２１６の一端部を当接させ、引っ張りバネ２１６の他端部を、筐体２０２の内部に設けられた取付台２１８に取り付け、レジ位置基準板２０４を引き寄せるようにしている。
【００５３】
一方、筐体２０２の内部に台座２２０を設け、この台座２２０にソレノイド２２２を取り付け、操作スイッチ４８に接続して、操作スイッチ４８による切り替えによってソレノイド２２２がＯＮ或いはＯＦＦの状態となるようにする。
【００５４】
ここで、図８（Ａ）、（Ｂ）に示すように、ソレノイド２２２にはプランジャー２２４が軸方向に往復移動可能に設けられている。プランジャー２２４の先端部にはピン２２６が設けられており、このピン２２６を介して略Ｌ字状のアーム２２８（図６参照）が取り付けられている。
【００５５】
アーム２２８の一端部には、ガイド溝２３０が形成されており、ピン２２６が係合可能となっている。また、アーム２２８のエルボ部２３４には、台座２２０に設けられた中心軸２３６が貫通しており、中心軸２３６を中心に回動可能となっている。
【００５６】
これにより、プランジャー２２４の往復移動によって、ピン２２６がガイド溝２３０に沿って移動しながらアーム２２８が回動する。ここで、アーム２２８の他端部には、ローラ２３２が回転可能に軸支されており、収納部２０８に形成された図示しない穴部を通過して、レジ位置基準板２０４に当接し、レジ位置基準板２０４を移動させる。
【００５７】
具体的には、図６に示すように、ソレノイド２２２がＯＦＦの状態では、プランジャー２２４がソレノイド２２２内から押し出された状態となっており、アーム２２８を介してローラ２３２は図７（Ａ）に示す位置に配置される。
【００５８】
このとき、レジ位置基準板２０４は引っ張りバネ２１６の引っ張り力によって引っ張られ、プラテンガラス２０５上から退避する。一方、図６に示すように、動力伝達板２１２、２１３を介してレジ位置基準板２０６（仮想線側）はプラテンガラス２０５上に配置される。
【００５９】
また、ソレノイド２２２がＯＮの状態では、プランジャー２２４がソレノイド２２２内に引き込まれた状態となり、アーム２２８を介してローラ２３２は引っ張りバネ２１６の引っ張り力の抗する方向へレジ位置基準板２０４を押圧する（図７（Ｂ）参照）。一方、レジ位置基準板２０６（実線側）は動力伝達板２１２、２１３を介してプラテンガラス２０５上から退避する。
【００６０】
このように、ピン２２６及びガイド溝２３０を介して、中心軸２３６を中心にアーム２２８を回動させることによって、レジ位置基準板２０４、２０６の移動量を大きくすることができる。
【００６１】
以上のような構成によって、レジ位置基準板２０４、２０６を連動し、一つのソレノイド２２２によって進退可能としたが、各レジ位置基準板毎にソレノイドを設け、一方のレジ位置基準板をプラテンガラス上に配置させると共に、他方のレジ位置基準板をプラテンガラス上から退避させるようにしても良い。
【００６２】
また、ここでは、動力伝達板２１２をプラテンガラス２０５上でスライド可能とし、レジ位置基準板と兼用させたが、必ずしもレジ位置基準板と兼用させる必要はなく、レジ位置基準板をプラテンガラス上に固定し、動力伝達板２１３のように収納部２１７内をスライドする動力伝達板を別途設けても良い。
【００６３】
次に、第２形態について説明する。なお、第１形態と略同一の内容については、説明を割愛する。
【００６４】
図９に示すように、画像読取装置７６の正面から見て左側に原稿押圧板７８を開閉させる開閉機構としてのヒンジ部８０が設けられており、原稿押圧板７８が画像読取装置７６の主走査方向（矢印方向）と直交する方向に弧を描くように開閉する。
【００６５】
このように、画像読取装置７６の走査方向に直交する方向に原稿押圧板７８を開閉させることで、新聞等のサイズの大きな原稿を載置する際、ヒンジ部８０が邪魔になることがなく、原稿を折り畳む必要がなくなる。
【００６６】
また、図１０に示すように、原稿押圧板７８には自動原稿送り装置８２を設けており、自動原稿送り装置８２の原稿読取り基準を操作パネル８４側にする。これにより、例えば、車椅子を使用する等障害をもつ操作者の場合でも、原稿読取り基準が操作者側であるため、自動原稿送り装置８２に原稿をセットしやすく、操作性が良い。
【００６７】
また、図３に示す原稿押圧板７８の開閉機構と異なり、原稿押圧板７８の前方（操作パネル８４側）にハンドル等を設けると、車椅子を使用する操作者でも原稿押圧板７８を全開させることができる。
【００６８】
また、ここでは、画像読取装置７６の正面から見て左側に原稿押圧板７８を開閉させる開閉機構としてのヒンジ部８０を設けたが、画像読取装置７６の正面から見て右側にヒンジ部８０を設けても良い。
【００６９】
【発明の効果】
本発明は、上記構成としたので、請求項１及び２に記載の発明では、原稿読取り基準として、原稿載置台上の奥側と手前側に一対の基準板をそれぞれ設け、該一対の基準板を一体にして、進退手段によって移動させることで、操作者毎に原稿載置台の原稿読取り基準を選択して切り替えることができるため、便利である。
【００７０】
また、必要な基準板を原稿載置台上に配置させると共に、不要な基準板を原稿載置台から退避させることで、間違った位置に原稿を載置する恐れがなくなる。また、不要な基準板を退避させることで、原稿載置台上に原稿を載置するとき、不要な基準板に原稿が乗り上げて折れ曲がることがない。さらに、基準板の進退状態を見ただけで、原稿読取り基準が分かるため、原稿を複写する時、原稿読取り基準を変える必要があるか否か判断でき、原稿読取り基準を変える必要がない場合はソレノイドを操作する操作スイッチを押圧しなくて良い。
【００７１】
請求項３に記載の発明では、車椅子を使用する操作者でも容易に手が届くので、操作し易い。また、操作スイッチを押圧するだけで、原稿読取り基準が切り替わるため、操作性が良い。
【００７２】
請求項４に記載の発明では、原稿押圧板を画像読取部の主走査方向と直交する方向に開閉させることで、新聞等のサイズの大きな原稿を複写する際、原稿を折り畳む必要がなくなる。
【００７３】
請求項５に記載の発明では、車椅子を使用する等障害をもつ操作者でも、自動原稿送り装置に原稿をセットし易く、操作性が良い。
【図面の簡単な説明】
【図１】  画像読取装置を示す説明図である。
【図２】  第１形態に係る画像読取装置を備えた画像形成装置を示す斜視図であり、原稿押圧板を閉止させた状態を示している。
【図３】  第１形態に係る画像読取装置を備えた画像形成装置を示す斜視図であり、原稿押圧板を開放させた状態を示している。
【図４】  第１形態に係る画像形成装置の概略平面図であり、原稿読取り基準をレジ位置Ｒとした場合を示している。
【図５】  第１形態に係る画像形成装置の概略平面図であり、原稿読取り基準をレジ位置Ｑとした場合を示している。
【図６】  第１形態に係る画像形成装置に用いられたレジ位置基準板の進退手段を示す概略平面図である。
【図７】  第１形態に係る画像形成装置に用いられたレジ位置基準板の進退手段を示す動作図であり、（Ａ）は一方のレジ位置基準板がプラテンガラス上から退避した状態を示し、（Ｂ）は一方のレジ位置基準板がプラテンガラス上へ配置された状態を示している。
【図８】  第１形態に係る画像形成装置に用いられたレジ位置基準板の進退手段の機構を示す動作図であり、（Ａ）はソレノイドとアームの関係をを示す概略正面図、（Ｂ）はソレノイドとアームの関係を示す概略平面図である。
【図９】  第２形態に係る画像読取装置を備えた画像形成装置を示す斜視図であり、原稿押圧板を開放させた状態を示している。
【図１０】  第２形態に係る画像読取装置を備えた画像形成装置を示す斜視図であり、原稿押圧板を閉止させた状態を示している。
【図１１】  従来の画像読取装置の原稿読取り基準を示す図である。
【図１２】  従来の画像読取装置を備えた画像形成装置を示す斜視図であり、原稿押圧板を開放させた状態を示している。
【図１３】  従来の画像読取装置を備えた画像形成装置を示す側面図である。
【符号の説明】
１０    画像読取装置
１４    プラテンガラス（原稿載置台）
４８    操作スイッチ
５０    レジ位置基準板（基準板）
５２    レジ位置基準板（基準板）
５４    レジ位置基準板（基準板）
５８    発光ダイオード（表示手段）
７６    画像読取装置
７８    原稿押圧板
８０    ヒンジ部
８２    自動原稿送り装置
Ｐ      原稿読取り基準
Ｑ      原稿読取り基準
２００  画像読取装置
２０４  レジ位置基準板（進退手段）
２０６  レジ位置基準板（進退手段）
２０８  収納部（進退手段）
２１０  収納部（進退手段）
２１２  動力伝達板（進退手段）
２１３  動力伝達板（進退手段）
２１７  収納部（進退手段）
２１６  引っ張りバネ（進退手段）
２２２  ソレノイド（進退手段）
２２４  プランジャー（進退手段）
２２６  ピン（進退手段）
２２８  アーム（進退手段）
２３０  ガイド溝（進退手段）
２３２  ローラ（進退手段）
２３６  中心軸（進退手段）
【図１】
0003800981.tif 000002
【図２】
0003800981.tif 000003
【図３】
0003800981.tif 000004
【図４】
0003800981.tif 000005
【図５】
0003800981.tif 000006
【図６】
0003800981.tif 000007
【図７】
0003800981.tif 000008
【図８】
0003800981.tif 000009
【図９】
0003800981.tif 000010
【図１０】
0003800981.tif 000011
【図１１】
0003800981.tif 000012
【図１２】
0003800981.tif 000013
【図１３】
0003800981.tif 000014